(57)【要約】【課題】  ディスプレイ装置筐体内に外部機器を収納する場合、外部機器が発生する熱が、ディスプレイ装置内の内部温度を上昇させてしまう。【解決手段】  筐体内に外部機器を収納する為の空間を少なくとも一箇所備え、かつ防熱壁が設置され、外部機器からの排気熱が、防熱壁によって形成された排気経路から、ディスプレイ装置外部へ排気される。【選択図】  図１
2006023634.tif 000002
【特許請求の範囲】
【請求項１】
投射ユニットとスクリーン部を備え、前記投射ユニットからの投射光を、前記スクリーン部に拡大投射する背面投射型ディスプレイ装置であって、
前記ディスプレイ装置は、筐体内に外部機器を収納する為の空間を少なくとも一箇所備え、かつ前記空間には防熱壁が設置され、前記外部機器からの排気熱は、前記防熱壁によって形成された排気経路から、前記ディスプレイ装置外部へ排気されることを特徴とする、背面投射型ディスプレイ装置。
【請求項２】
前記筐体内の外部機器を収納する為の空間は、前記防熱壁によって、筐体内において独立した空間とされ、前記空間には排気手段が設置されていることを特徴とする、請求項１に記載の、背面投射型ディスプレイ装置。
【請求項３】
前記筐体内の外部機器を収納する為の空間に、吸気手段が設置されていることを特徴とする、請求項１または２に記載の、背面投射型ディスプレイ装置。
【請求項４】
前記外部機器は、該背面投射型ディスプレイ装置に接続される機器であることを特徴とする、請求項１乃至３のいずれかに記載の背面投射型ディスプレイ装置。
【発明の詳細な説明】
【技術分野】
【０００１】
本発明は、投射ユニットとスクリーン部を備え、前記投射ユニットからの投射光を、前記スクリーン部に拡大投射する背面投射型ディスプレイ装置に関するものである。
【背景技術】
【０００２】
従来より、投射ユニットとスクリーン部を備え、前記投射ユニットからの投射光を、前記スクリーンに拡大投射する背面投射型ディスプレイ装置が知られており、投射ユニットを構成する画像表示素子として、ＣＲＴや液晶表示素子等が使用されている。
【０００３】
図１４〜１８は、従来の背面投射型ディスプレイ装置を示した概略図である。
【０００４】
ここで、図１４および図１５は、画像表示素子としてＣＲＴを用いた、背面投射型ディスプレイ装置Ｄ６の概略を示したものである。
【０００５】
図１４において、前記背面投射型ディスプレイ装置Ｄ６は、スクリーン３と、Ｒ，Ｇ，Ｂ各色に対応し、ＣＲＴおよび各ＣＲＴの表示画像を拡大投射する投射レンズで構成された各投射ユニット６０Ｒ、６０Ｇ、６０Ｂ、前記各投射ユニットからの投射光Ｌ１０を反射させる反射ミラー２、筐体２０によって構成されている。
【０００６】
次に、図１６、図１７に、画像表示素子として液晶表示素子を用いた背面投射型ディスプレイ装置Ｄ７の概略を示す。
【０００７】
図１６、図１７において、背面投射型ディスプレイ装置Ｄ７は、スクリーン３と、光源と前記光源からの投射光を液晶表示素子によって変調させ、変調された変調光を拡大投射する投射レンズを含む投射ユニット１０、前記投射ユニット１０からの投射光Ｌ１を反射させる反射ミラー２および筐体２０によって構成されている。
【０００８】
ところで、これら背面投射型ディスプレイ装置Ｄ６またはＤ７に、外部機器である、ビデオレコーダーや衛星放送受信機等を接続する場合がある。
【０００９】
また、近年は、パーソナルコンピュータ等の情報処理装置等を接続して、これら装置等の画像表示を行う場合も増えている。
【００１０】
ここで、画像表示素子としてＣＲＴを用いた背面投射型ディスプレイ装置においては、投射ユニットを構成するＣＲＴとして６〜８インチ程度の表示領域を持つＣＲＴが３本使用されることが多く、さらにそれぞれに投射レンズが備えられているので、図１５に示す様に、該投射ユニットは該背面投射型ディスプレイ装置の下部において、大きな領域を占有する場合が多い。
【００１１】
その為、背面投射型ディスプレイ装置に接続される外部機器は、ディスプレイ装置外部に設置されることが大半であった。
【００１２】
しかしながら、近年増加している、投射ユニットを構成する画像表示素子として液晶表示素子を用いた背面投射型ディスプレイ装置においては、図１７に示す様に、投射ユニットを構成する液晶表示素子の表示領域は０．５〜１．３インチ程度であり、前述のＣＲＴを使用した投射ユニットに対して、大幅な小型化が実現されている。
【００１３】
その結果、図１８に示す様に、背面投射型ディスプレイ装置の筐体において、外部機器４０を収納可能な空間を確保することが可能になり、前記外部機器４０をディスプレイ装置筐体２０内に収納することで、前記外部機器４０を含めた全体としての省スペースを実現すると共に、外観上の煩雑感を低減することが可能になっている。
【００１４】
そしてそのような技術として例えば特許文献１を挙げることが出来る。
【特許文献１】特開平０７−２８１１７３号公報
【発明の開示】
【発明が解決しようとする課題】
【００１５】
しかしながら、背面投射型ディスプレイ装置筐体内に外部機器を収納した場合、該外部機器が稼動する際に発生する熱が、該ディスプレイ装置筐体内に排出されると、該ディスプレイ装置内の内部温度を上昇させることになる。
【００１６】
さらに、前記外部機器としてパーソナルコンピュータ等の情報処理装置を収納する場合が近年増加しているが、パーソナルコンピュータ等の情報処理装置を含め、外部機器の発熱量はその性能の向上と共に増加する傾向にあり、その結果、前記外部機器を収納したディスプレイ装置内の内部温度上昇も大きくなる可能性がある。
【００１７】
該ディスプレイ装置は、その性能を維持するため、装置内部の温度が過度に上昇しないように冷却する必要があるが、特に前述の投射ユニットを構成する画像表示素子として液晶表示素子を用いたディスプレイ装置においては、近年の表示画像の高輝度化への要望から高輝度の光源を使用することが多く、その発熱量が増える傾向にあり、性能維持の面から装置内部の冷却は重要な課題となっている。
【００１８】
その為、ディスプレイ装置筐体内に外部機器を収納する場合、該外部機器が発生する熱が、該ディスプレイ装置内の内部温度を過度に上昇させない様、対策を行う必要があった。
【課題を解決するための手段】
【００１９】
本発明は、上記課題を考慮して考案されたものであり、
投射ユニットとスクリーン部を備え、前記投射ユニットからの投射光を、前記スクリーン部に拡大投射する背面投射型ディスプレイ装置であって、
前記ディスプレイ装置は、筐体内に外部機器を収納する為の空間を少なくとも一箇所備え、かつ前記空間には防熱壁が設置され、前記外部機器からの排気熱は、前記防熱壁によって形成された排気経路から、前記ディスプレイ装置外部へ排気されることを特徴とする。
【発明の効果】
【００２０】
以上、説明したように、本発明の第一の実施例によれば、
Ｄ１において、筐体２０には、外部機器を収納するための空間Ｓ１を、筐体２０および防熱壁２１、防熱壁２２によって形成し、前記外部機器が稼動する際に発生する熱を排気する排気口２３を装置背面側に設置し、前記外部機器によって発生した温度が上昇した空気Ｗ１を、排気口２３より装置外部へと流す排気経路とする。
【００２１】
これにより、該空間Ｓ１は該背面投射型ディスプレイ装置筐体内で独立した空間であり、前記据置型パーソナルコンピュータ４０の稼動によって発生した熱Ｗ１は、前記排気口２３より、該ディスプレイ装置内部に流れることなく装置外部へと排気されるため、該ディスプレイ装置Ｄ１内の内部温度の上昇を抑えることができ、その性能に与える影響を低減することが可能になる。
【００２２】
また、本発明の第二の実施例によれば、
外部機器を収納する空間Ｓ３に、該ディスプレイ装置外部から外気Ｗ１０を吸気するための吸気口２５を、装置前面側に設置し、前記外部機器４０が稼動する際に発生する熱Ｗ１１を排気する排気口２３を装置背面側に設置し、さらに、排気手段として排気用ファン５０を前記排気口２３に設置することで、前記吸気口２５より吸気された外気Ｗ１０は、前記外部機器４０を冷却すると共に、前記外部機器４０によって発生し、温度が上昇した空気Ｗ１１を、前記排気用ファン５０によって、前記筐体２０および防熱壁２１、２２により形成された空間Ｓ３を排気経路とし、強制的に該ディスプレイ装置外へと排気される。
【００２３】
これにより、前記実施例１における効果に加えて、該ディスプレイ装置内に設置された外部機器４０の効率的な冷却を行うことが可能になると共に、前記外部機器４０から発生した熱Ｗ１１を、該ディスプレイ装置外へと、より効率的に排気することが可能になる。
【００２４】
また、本発明の第三の実施例によれば、
外部機器を収納する空間Ｓ４に、該ディスプレイ装置外部から外気を吸気するための吸気口２５を装置前面側に設置し、さらに吸気手段として吸気用ファン５１を前記吸気口２５に設置し、
また、前記外部機器が稼動する際に発生する熱を排気する排気口２３を装置背面側に設置し、さらに、排気手段として排気用ファン５０を前記排気口２３に設置することで、
前記吸気口２５より前記吸気用ファン５１により吸気された外気Ｗ１２は、前記外部機器４０を冷却すると共に、前記外部機器４０によって発生し、温度が上昇した空気を、前記排気用ファン５０によって、前記筐体２０および防熱壁２１、２２により形成された空間Ｓ４排気経路として、強制的に該ディスプレイ装置外へと排気される。
【００２５】
これにより、前記実施例１および２における効果に加えて、外部からの吸気を積極的に行うことで、該ディスプレイ装置内に設置された外部機器４０のさらなる効率的な冷却を行うことが可能になると共に、前記外部機器４０から発生した熱を、該ディスプレイ装置外へと、より効率的に排気することが可能になる。
【００２６】
また、本発明の第四の実施例によれば、
外部機器を収納する空間Ｓ５に、吸気口２６および吸気ファン５１を該ディスプレイ装置Ｄ５内側に設置し、該ディスプレイ装置内部から、前記空間Ｓ５にディスプレイ装置内からの吸気Ｗ１４を吸気する構造とし、
また、前記外部機器４０が稼動する際に発生する熱Ｗ１５を排気する排気口２３を装置背面側に設置し、さらに、排気手段として排気用ファン５０を前記排気口２３に設置する。
【００２７】
前記吸気用ファン５１より吸気された該ディスプレイ装置内からの吸気Ｗ１４は、前記外部機器４０を冷却した後、前記排気用ファン５０から、前記筐体２０および防熱壁２１、２２により形成された空間Ｓ５排気経路として、強制的に該ディスプレイ装置外へと排気される。
【００２８】
これにより、吸気口２６および吸気ファン５１を該ディスプレイ装置Ｄ５内側に設置し、該ディスプレイ装置内部から、前記空間Ｓ５に吸気する構造としても、該ディスプレイ装置内部の温度が、前記外部装置４０の冷却に十分な温度であれば、
前記前記実施例１、２および３における効果に加えて、
前記外部機器４０が稼動する際に発生する熱Ｗ１５は、該ディスプレイ装置外部へと排気されるので、該ディスプレイ装置内部の温度上昇を抑えることができると共に、前記吸気用ファン５１は、該ディスプレイ装置内部に設置されているため、前記吸気用ファン５１が発生させる騒音が該ディスプレイ装置外部に伝わるのを軽減することが可能になる。
【発明を実施するための最良の形態】
【００２９】
以下、図１乃至図１３を参照して、本発明の実施の形態について説明する。
【００３０】
なお本図において、Ｄ１乃至Ｄ８はそれぞれ以下のものを指す。
Ｄ１：本発明に係る、液晶表示素子を用いた、背面投射型ディスプレイ装置
Ｄ２：本発明に係る、液晶表示素子を用いた、背面投射型ディスプレイ装置
Ｄ３：本発明に係る、液晶表示素子を用いた、背面投射型ディスプレイ装置
Ｄ４：本発明に係る、液晶表示素子を用いた、背面投射型ディスプレイ装置
Ｄ５：本発明に係る、液晶表示素子を用いた、背面投射型ディスプレイ装置
Ｄ６：従来の、ＣＲＴを用いた、背面投射型ディスプレイ装置
Ｄ７：従来の、液晶表示素子を用いた、背面投射型ディスプレイ装置
Ｄ８：外部機器を収納した、従来の液晶表示素子を用いた、背面投射型ディスプレイ装置
本発明における背面投射型ディスプレイ装置Ｄ１〜Ｄ５は、スクリーン３と、投射ユニット１０、投射ユニット１０からの投射光Ｌ１を前記スクリーン３方向へと反射させる反射ミラー２、およびこれらを保持固定する筐体２０によって構成されている。
【００３１】
本発明においては、前記投射ユニット１０における画像表示素子として液晶表示素子を使用した例を説明する。
【００３２】
投射ユニット１０は、図５に示す様に、光源１０からの投射光を液晶表示素子１１によって変調させ、変調された変調光の光路方向を９０度変更する反射ミラー１２、前記変調光を拡大投射する投射レンズ１３により構成され、前記液晶表示素子１１によって変調された変調光を投射光Ｌ１として前記スクリーン３に拡大投射するよう構成されている。
【００３３】
また、パーソナルコンピュータ４０を、該背面投射型ディスプレイ装置に接続し表示を行う外部機器として、該ディスプレイ装置内に収納した。
【実施例１】
【００３４】
図１〜図４は、本発明の第一の実施形態に係る、投射ユニットを構成する画像表示素子として液晶表示素子を用いた背面投射型ディスプレイ装置Ｄ１の概略図である。
【００３５】
図１は、Ｄ１の構成を示した側面方向からの概略図である。
【００３６】
図２は、外部機器を収納する空間の概略を正面方向から示した概略図、図３は同じく側面方向から示した概略図、図４も同じく上面方向から示した概略図である。
【００３７】
Ｄ１において、筐体２０には、外部機器を収納するための空間Ｓ１が、筐体２０および防熱壁２１、防熱壁２２によって形成され、該筐体２０内において独立した空間となっている。
【００３８】
また、該空間Ｓ１には、前記外部機器４０を該ディスプレイ装置Ｄ１内に収納、取り出しするための扉部２４が筐体外側面に設置されている。
【００３９】
本実施例においては、外部機器の一例として、該背面投射型ディスプレイ装置Ｄ１に接続し、その表示を行う据置型パーソナルコンピュータ４０を配置した。
【００４０】
ここで、前記空間Ｓ１には、前記外部機器が稼動する際に発生する熱を排気する排気口２３が装置背面側に設置され、該空間Ｓ１は前記筐体２０および防熱壁２１、２２によって、前記外部機器によって発生し、温度が上昇した外部機器の排気Ｗ１を、排気口２３より装置外部へと流す排気経路となっている。
【００４１】
前記空間Ｓ１は該背面投射型ディスプレイ装置Ｄ１筐体内で独立した空間であり、前記据置型パーソナルコンピュータ４０の稼動によって発生した熱Ｗ１は、前記排気口２３より、該ディスプレイ装置内部に流れることなく装置外部へと排気されるため、該ディスプレイ装置Ｄ１の装置内部温度の上昇を抑えることができ、その性能に与える影響を低減することが可能になる。
【００４２】
ここで、排気口２３は、装置背面側に設置されているが、背面に限定されるものではない。
【００４３】
また、前記防熱壁２１、２２は、熱伝導率の低い材料で形成した方が、前記前記据置型パーソナルコンピュータ４０の稼動によって発生した熱によって、該防熱壁２１、２２の温度が上昇し、その輻射熱によって、該ディスプレイ装置内部の温度が上昇することを低減することができ、さらに良い。
【００４４】
また、図６に示すように、前述の背面投射型ディスプレイ装置Ｄ１の構成に加えて、防熱壁３１および防熱壁３２を追加して空間Ｓ２を形成し、Ｓ１同様、排気口３３を形成することで、少なくとも２箇所の外部機器収納用空間を設けた背面投射型ディスプレイ装置Ｄ２の構成とすることも可能である。
【実施例２】
【００４５】
図７〜９は、本発明の第二の実施形態に係る、投射ユニットを構成する画像表示素子として液晶表示素子を用いた背面投射型ディスプレイ装置Ｄ３の概略図である。
【００４６】
図７は、外部機器を収納する空間の概略を側面方向から示した概略図、図８は同じく正面方向から示した概略図、図９も同じく上面方向から示した概略図である。
【００４７】
Ｄ３において、筐体２０には、外部機器４０を収納するための空間Ｓ３が、筐体２０および防熱壁２１、２２によって形成されている。
【００４８】
また、該空間Ｓ３には、前記外部機器４０を該ディスプレイ装置内に収納、取り出しするための扉部２４が筐体側面に設置されている。
【００４９】
前記空間Ｓ３には、該ディスプレイ装置外部から外気Ｗ１０を吸気するための吸気口２５が、装置前面側に設置されている。
【００５０】
また、前記外部機器４０が稼動する際に発生する熱Ｗ１１を排気する排気口２３が装置背面側に設置され、さらに、排気手段として排気用ファン５０が前記排気口２３に設置されている。
【００５１】
ここで、前記吸気口２５より吸気された外気Ｗ１０は、前記外部機器４０を冷却すると共に、前記外部機器４０によって発生し、温度が上昇した空気Ｗ１１を、前記排気用ファン５０によって、前記筐体２０および防熱壁２１、２２により形成された空間Ｓ３を排気経路とし、強制的に該ディスプレイ装置外へと排気される。
【００５２】
これにより、前記実施例１における効果に加えて、該ディスプレイ装置内に設置された外部機器４０の効率的な冷却を行うことが可能になると共に、前記外部機器４０から発生した熱Ｗ１１を、該ディスプレイ装置外へと、より効率的に排気することが可能になる。
【実施例３】
【００５３】
図１０、図１１は、本発明の第三の実施形態に係る、投射ユニットを構成する画像表示素子として液晶表示素子を用いた背面投射型ディスプレイ装置Ｄ４の概略図である。
【００５４】
図１０は、外部機器を収納する空間の概略を側面方向から示した概略図、図１１は同じく上面方向から示した概略図である。
【００５５】
Ｄ４において、筐体２０には、外部機器４０を収納するための空間Ｓ４が、筐体２０および防熱壁２１、２２によって形成されている。
【００５６】
また、該空間Ｓ４には、前記外部機器４０を該ディスプレイ装置内に収納、取り出しするための扉部２４が筐体側面に設置されている。
【００５７】
前記空間Ｓ４には、該ディスプレイ装置外部から外気を吸気するための吸気口２５が、装置前面側に設置され、さらに吸気手段として吸気用ファン５１が前記吸気口２５に設置されている。
【００５８】
また、前記外部機器が稼動する際に発生する熱を排気する排気口２３が装置背面側に設置され、さらに、排気手段として排気用ファン５０が前記排気口２３に設置されている。
【００５９】
前記吸気口２５より前記吸気用ファン５１により吸気された外気Ｗ１２は、前記外部機器４０を冷却すると共に、前記外部機器４０によって発生し、温度が上昇した空気を、前記排気用ファン５０によって、前記筐体２０および防熱壁２１、２２により形成された空間Ｓ４排気経路として、強制的に該ディスプレイ装置外へと排気される。
【００６０】
これにより、前記実施例１および２における効果に加えて、外部からの吸気を積極的に行うことで、該ディスプレイ装置内に設置された外部機器４０のさらなる効率的な冷却を行うことが可能になると共に、前記外部機器４０から発生した熱を、該ディスプレイ装置外へと、より効率的に排気することが可能になり、発熱量の多い外部機器を該ディスプレイ装置内に収納する場合、さらに良い。
【実施例４】
【００６１】
図１２、図１３は、本発明の第四の実施形態に係る、投射ユニットを構成する画像表示素子として液晶表示素子を用いた背面投射型ディスプレイ装置Ｄ５の概略図である。
【００６２】
図１２は、外部機器を収納する空間の概略を側面方向から示した概略図、図１３は同じく上面方向から示した概略図である。
【００６３】
Ｄ５において、筐体２０には、外部機器４０を収納するための空間Ｓ５が、筐体２０および防熱壁２１、２２によって形成されている。
【００６４】
また、該空間Ｓ５には、前記外部機器４０を該ディスプレイ装置内に収納、取り出しするための扉部２４が筐体側面に設置されている。
【００６５】
前記空間Ｓ５には、吸気口２６および吸気ファン５１を該ディスプレイ装置Ｄ５内側に設置され、該ディスプレイ装置内部から、前記空間Ｓ５に冷却風Ｗ１４を吸気する構造となっている。
【００６６】
また、前記外部機器４０が稼動する際に発生する熱Ｗ１５を排気する排気口２３が装置背面側に設置され、さらに、排気手段として排気用ファン５０が前記排気口２３に設置されている。
【００６７】
ここで、吸気口２６および吸気ファン５１を該ディスプレイ装置Ｄ５内側に設置し、該ディスプレイ装置内部から、前記空間Ｓ５に吸気する構造としても、該ディスプレイ装置内部の温度が、前記外部装置４０の冷却に十分な温度であれば良く、前記吸気用ファン５１より吸気された該ディスプレイ装置内の空気Ｗ１４は、前記外部機器４０を冷却した後、前記排気用ファン５０から、前記筐体２０および防熱壁２１、２２により形成された空間Ｓ５排気経路として、強制的に該ディスプレイ装置外へと排気される。
【００６８】
これにより、前記外部機器４０が稼動する際に発生する熱Ｗ１５は、該ディスプレイ装置外部へと排気されるので、該ディスプレイ装置内部の温度上昇を抑えることができると共に、前記吸気用ファン５１は、該ディスプレイ装置内部に設置されているため、前記吸気用ファン５１が発生させる騒音が該ディスプレイ装置外部に伝わるのを軽減することが可能になる。
【図面の簡単な説明】
【００６９】
【図１】液晶表示素子を用いた、背面投射型ディスプレイ装置Ｄ１の概略を示した側面図。
【図２】Ｄ１における外部機器の収納スペースの概略を示した正面図。
【図３】Ｄ１における外部機器の収納スペースの概略を示した側面図。
【図４】Ｄ１における外部機器の収納スペースの概略を示した平面図。
【図５】液晶表示素子を用いた投射ユニットを示した概略図。
【図６】液晶表示素子を用いた、背面投射型ディスプレイ装置Ｄ２において、外部機器の収納スペースの概略を示した正面図。
【図７】液晶表示素子を用いた、背面投射型ディスプレイ装置Ｄ３において、外部機器の収納スペースの概略を示した側面図。
【図８】Ｄ３における外部機器の収納スペースの概略を示した正面図。
【図９】Ｄ３における外部機器の収納スペースの概略を示した平面図。
【図１０】液晶表示素子を用いた、背面投射型ディスプレイ装置Ｄ４において、外部機器の収納スペースの概略を示した側面図。
【図１１】Ｄ４における外部機器の収納スペースの概略を示した平面図。
【図１２】液晶表示素子を用いた、背面投射型ディスプレイ装置Ｄ５において、外部機器の収納スペースの概略を示した正面図。
【図１３】Ｄ５における外部機器の収納スペースの概略を示した平面図。
【図１４】ＣＲＴを用いた、従来の背面投射型ディスプレイ装置Ｄ６の概略を示した側面図。
【図１５】Ｄ６の概略を示した正面図。
【図１６】液晶表示素子を用いた、従来の背面投射型ディスプレイ装置Ｄ７の概略を示した側面図。
【図１７】Ｄ７の概略を示した正面図。
【図１８】外部機器を収納した、従来の液晶表示素子を用いた、背面投射型ディスプレイ装置。
【符号の説明】
【００７０】
１  投射ユニット
２  反射ミラー
３  スクリーン
１０  投射ランプ
１１  液晶表示素子
１２  反射ミラー
１３  投射レンズ
２０  装置筐体
２１  防熱壁
２２  防熱壁
２３  排気口
２４  扉部
２５  吸気口
２６  吸気口
４０  外部機器
５０  排気用ファン
５１  吸気用ファン
６０  ＣＲＴを用いた投射ユニット
６０Ｒ  Ｒ色用ＣＲＴを用いた投射ユニット
６０Ｇ  Ｇ色用ＣＲＴを用いた投射ユニット
６０Ｂ  Ｂ色用ＣＲＴを用いた投射ユニット
Ｓ１  外部機器収納用空間
Ｓ２  外部機器収納用空間
Ｓ３  外部機器収納用空間
Ｓ４  外部機器収納用空間
Ｓ５  外部機器収納用空間
Ｌ１  投射光
Ｌ１０  投射光
Ｗ１  外部機器の排気
Ｗ１０  外気
Ｗ１１  外部機器の排気
Ｗ１２  外気
Ｗ１３  外部機器の排気
Ｗ１４  ディスプレイ装置内からの吸気
Ｗ１５  外部機器の排気
【図１】
2006023634.tif 000003
【図２】
2006023634.tif 000004
【図３】
2006023634.tif 000005
【図４】
2006023634.tif 000006
【図５】
2006023634.tif 000007
【図６】
2006023634.tif 000008
【図７】
2006023634.tif 000009
【図８】
2006023634.tif 000010
【図９】
2006023634.tif 000011
【図１０】
2006023634.tif 000012
【図１１】
2006023634.tif 000013
【図１２】
2006023634.tif 000014
【図１３】
2006023634.tif 000015
【図１４】
2006023634.tif 000016
【図１５】
2006023634.tif 000017
【図１６】
2006023634.tif 000018
【図１７】
2006023634.tif 000019
【図１８】
2006023634.tif 000020